(57)【特許請求の範囲】
【請求項１】
熱源上に載置して使用する組立式オーブンフレームであって、帯板状の金属製板の両端部を同一方向に略直角に屈曲させ平面視略コの字形状に形成され前記組立式オーブンフレームの本体部を形成する一対の本体フレーム板と、前記一対の本体フレーム板を対向させ略矩形状に組立固定する固定バーとを有し、前記本体フレーム板の両側面部の所要位置に固定バー貫通用スリットを複数箇所に形成し、前記固定バー貫通用スリットを選択し前記固定バーを貫通させることで前記略矩形状の幅方向の長さを任意に選択可能となることを特徴とする組立式オーブンフレーム。
【請求項２】
前記本体フレーム板を組立固定した状態の上方開口部を覆いつくす蓋体を有することを特徴とする請求項１に記載の組立式オーブンフレーム。
【請求項３】
前記本体フレーム板を組立固定した状態の上方開口部もしくは熱源側となる下方開口部に串部を直火から遮蔽可能となる遮蔽板を有し、前記遮蔽板は帯板状の金属製板を略直角に屈曲させ形成されていることを特徴とする請求項１又は請求項２に記載の組立式オーブンフレーム。
【請求項４】
前記蓋体に、分解した前記本体フレームと、前記固定バーと、前記本体フレーム板を組立固定した状態の上方開口部もしくは熱源側となる下方開口部に食材を保持する串を直火から遮蔽可能な遮蔽板とを、収納し携行可能なことを特徴とする請求項２に記載の組立式オーブンフレーム。
【請求項５】
前記蓋体に前記組立式オーブンフレーム内部の温度を測定可能となる温度計を有することを特徴とする請求項２又は請求項４に記載の組立式オーブンフレーム。
【請求項６】
前記蓋体に、前記組立式オーブンフレーム内部の食材の状態を確認できる透明素材から成る窓部を有することを特徴とする請求項２、請求項４又は請求項５のいずれか１項に記載の組立式オーブンフレーム。
【発明の詳細な説明】
【技術分野】
【０００１】
本発明は、野外で行う調理に使用する組立式オーブンフレームに関し、詳しくは、従来のバーベキューコンロなど様々な熱源上に載置して使用することで、野外における調理効率が向上する組立式オーブンフレームに関するものである。
【背景技術】
【０００２】
従来、野外での調理法であるバーベキューなどで使用するバーベキューコンロは、金属製の箱型のコンロ本体に複数の脚が取り付けられ、コンロ本体内に燃料を載置し、コンロ本体上部に焼き網や鉄板などを配設する構成であった。
【０００３】
このような従来のバーベキューコンロは、炭や薪を燃料として使用するので、火の大きさを調整することが難しいく、火力調整方法が煩雑で不便である問題があった。そこで、特許文献１にはバーベキューコンロ本体の内部に、燃料を載置する燃料載置体を設け、燃料載置体が上下移動自在とし、任意の高さに保持することで火力調整を可能とするバーベキューコンロが開示されている。
【０００４】
しかし、特許文献１に開示されているバーベキューコンロは、燃料と被調理物である食材との距離を調整することで、大まかに火力調整を可能とした以外は、基本的な調理方法は従来のバーベキューコンロと同様であり、食材の下面を下方からの直火で加熱調理する調理方法であった。
【先行技術文献】
【特許文献】
【０００５】
【特許文献１】特開２００５−３１２８０３号公報
【発明の概要】
【発明が解決しようとする課題】
【０００６】
ここで、特許文献１に記載の発明や従来のバーベキューコンロを使用した調理法は、食材を下方からの直火で加熱調理する方法である為に、大まかに火力の調整が可能であったとしても、野外の環境下において食材の中心部まで均一に火を通すことが難しく、食材の下面が直火で焦げやすいと言う問題があった。
【０００７】
特に、野外の環境下で行われる調理では、その日の気温、風の有無、湿度など外部要因が多数あり、一定の調理結果を得ることが難しく、例えば、食材の表面が焦げる、食材の中心部が十分過熱されていない状態、過熱によって食材の水分が失われた状態、串に刺された食材は串が高温となり手で持てない、竹串や木製の串が焦げて折れてしまうなどの状況に陥りやすい問題があった。
【０００８】
本発明は、上記課題を鑑みてなされたものであり、その具体的目的は、従来の熱源上に載置し使用することで、野外の環境下であっても食材を美味しく効率的に調理可能であると共に、組立式で持ち運びも便利な組立式オーブンフレームを提供することを目的とする。
【課題を解決するための手段】
【０００９】
本発明は、上記目的を達成するために案出されたものである。詳述するならば、野外で使用する、バーベキューコンロやガスコンロなどの熱源上に載置して使用する組立式オーブンフレームであって、帯板状の金属製板の両端部を同一方向に略直角に屈曲させ、平面視略コの字形状に形成され前記組立式オーブンフレームの本体部を形成する一対の本体フレーム板と、前記一対の本体フレーム板を対向させ略矩形状に組立固定する固定バーとを有し、前記一対の本体フレーム板の側面部の上縁近傍所要位置に固定バー貫通用スリットを複数箇所に形成し、前記一対の本体フレーム板の側面部を重ねる際に、前記固定バー貫通用スリットを選択し連通させ前記固定バー貫通することで、前記略矩形状の幅方向の長さを任意に設定可能となる。さらに、前記固定バーは、前記本体フレームの両側面部間の長ささより長いものを複数掛け渡すことで前記固定バー上に食材を直接載置する、若しくは食材用の焼き網や鉄板などを載置可能となる構成が含まれる。
【００１０】
本発明の組立式オーブンフレームは、既存の熱源上に載置すると熱源の直火で食材の下面を加熱すると同時に、組立式オーブンフレーム内を加熱された空気が上昇することで加熱された空気が食材を包み込み食材の側面も加熱する効果が得られ、さらに、使用する食材によって幅方向の長さを調整できることで、食材の大きさに合わせて効率的に熱を加えることが出来る。
【００１１】
本発明には、前記本体フレーム板を平面視略矩形状に組立固定した状態の上方開口部を覆いつくす金属製の蓋体を、前記側面部から突設状態の前記固定バーに載置できる構成が含まれる。
【００１２】
本発明の組立式オーブンフレームは、前記固定バーの上面に載置した食材を下方からの直火と、前記本体フレームと前記蓋体とで形成された組立式オーブンとしての空間に加熱した空気を滞留させることで、食材に対して効率的に熱を加える所謂オーブンとしての機能を得ることができる。
【００１３】
本発明には、前記本体フレーム板を組立固定した状態の上方開口部もしくは熱源側となる下方開口部の前側及び向側に付設することで、串刺し食材の串部を直火から遮蔽可能な遮蔽板を有し、前記遮蔽板が帯板状の金属製板を略直角に屈曲させ形成されている構成が含まれる。
【００１４】
本発明の組立式オーブンフレームは、串刺し食品の調理において、串部を直火から遮蔽することで、串を持つ手を火傷などから防止できるばかりか、竹串や木串を使用しても串が焼け落ちることがない効果がある。
【００１５】
本発明には、前記蓋体に分解した前記本体フレームと、前記固定バーと、前記本体フレーム板と、食材載置用の焼き網や鉄板と、組立固定した状態の上方開口部もしくは熱源側となる下方開口部に串刺し食品の串を直火から遮蔽可能な遮蔽板とを収納し、収納時以外は調理台に使用でき収納時には前記蓋体の開口面を覆いつくす金属板を嵌着し携行可能な構成が含まれる。
【００１６】
本発明の組立式オーブンフレームは、組み立て式であると共に一部構成部材を梱包部材としても兼用していることで、省スペース化の効果が得られる。
【００１７】
本発明には、前記蓋体に組立式オーブンフレーム内部の温度を測定可能となる温度計を有する構成が含まれる。
【００１８】
本発明の組立式オーブンフレームは、野外の環境下であっても、オーブンフレーム内部の温度を管理することで調理の目安とすることができるので、一定程度の調理結果を得られる効果が期待できる。
【００１９】
本発明には、前記蓋体に組立式オーブンフレーム内部にある食材の状態を確認できる透明素材から成る窓部を有する構成が含まれる。
【００２０】
本発明の組立式オーブンフレームは、調理の進行具合を視覚で確認することで調理人の判断が容易となる効果が得られる。
【発明の効果】
【００２１】
本発明の組立式オーブンフレームは、構成部品の点数が少なく低コストで、さらに、小型で携行便利でありながら、野外の環境下で行われる調理法でも食材を効率的に加熱することで、食材の水分を必要以上失わせることが無く、中まで適切に加熱する効能を有し、食材を美味しく調理することが簡便となる効果がある。
【図面の簡単な説明】
【００２２】
【図１】第１実施形態に係る組立式オーブンフレームを示す斜視図である。
【図２】図１に示す組立式オーブンフレームをバーベキューコンロに載置した状態を示す斜視図である。
【図３】図２に示す組立式オーブンフレームに蓋体を載置した状態を示す斜視図である。
【図４】第２実施形態に係る組立式オーブンフレームを示す斜視図である。
【図５】図４に示す組立式オーブンフレームに蓋体を載置した状態を示す斜視図である。
【図６】第３実施形態に係る組立式オーブンフレームを示す説明図である。
【図７】本発明の組立式オーブンフレームで食品を調理する際の作用を説明する断面図である。
【図８】本発明の組立式オーブンフレームの構成例を示す説明図である。
【発明を実施するための形態】
【００２３】
以下、本発明の実施形態を図面を参照しながら説明する。ただし、図面は模式的に図示しており、実際の寸法や比率等とは必ずしも一致しない。また、図面相互間において、お互いの寸法の関係や比率が異なる部分が含まれることがある。
尚、本実施形態において、組立式オーブンフレームを設置した状態を基準に熱源側を下方向、食材を載置する側を上方向とし、組立式オーブンフレームの使用者側の面を前面側、反対側を後面側、前面側（後面側）と直交する面を側面部という。
【００２４】
（第１実施形態）
図１、図２、図３及び図８に示されるように、串刺し食品１００を調理する場合の本実施形態に係る組立式オーブンフレーム１は、帯板状の金属製板の両端部を同一方向に略直角に屈曲させ、組立式オーブンフレーム１を熱源である従来のバーベキューコンロ２００上に設置した状態において、平面視略コの字形状に形成され組立式オーブンフレームの本体部を形成する一対の本体フレーム板２と、一対の本体フレーム板２を対向させ略矩形状に組立固定する固定バー３と、串刺し食材１００の串を直火から遮蔽可能な遮蔽板４と、本体フレーム板２を平面視略矩形状に組立固定した状態の上方開口部を覆いつくす金属製の蓋体５とで構成されている。
【００２５】
本体フレーム板２は、組立固定した状態の前面側と後面側とを形成する中央面部２Ｃと、中央面部２Ｃの両端部を同一方向に略直角に屈曲形成された左右の側面部２Ａとで構成されている。また、側面部２Ａの上縁部近傍であって上縁部よりやや下側にスリットの上端部が形成される高さで、側面部２Ａの先端部より中央面部２Ｃに向かう長さ方向に沿った方向の長さ位置が違う所要位置に、固定バー３を挿入可能な固定バー貫通用スリット２Ｂが複数箇所に形成されている。
【００２６】
固定バー３は、帯板状の金属製板の一端側を屈曲形成されたストッパー部３Ａを有し、先端部は角部が面取りされ、左右の側面部２Ａ間を掛け渡し先端部が突出する長さに形成されている。
【００２７】
図１、図２及び図７に示すように、遮蔽板４は、帯板状の金属製板を略直角に屈曲され中央面部２Ｃの長さ方向の長さより若干短い長さに形成されている。遮蔽板４は、本体フレーム板２を組立固定した状態の中央面部２Ｃの上縁に架設するか、熱源側となる下方開口部の中央面部２Ｃの下側に敷設することで、串刺し食材の串先と串元を直火から遮蔽できる。
【００２８】
図３、図４、図５及び図８に示すように、蓋体５は、本体フレーム板２の幅方向の長さＷ２を最大幅にして組立固定した状態の上方開口部を覆いつくす所要形状及び寸法で形成すれば良く、詳しくは、中央面部２Ｃの長さ方向の長さより若干内寸法が長く且つ固定バー３の長さ寸法より短く、幅方向の内寸法は本体フレーム板２の幅方向の長さＷ２を最大幅にした状態よりもやや広い、略直方体の下面を全面開口部とした形状に形成され、本体フレーム板２の外面と蓋体５の内面とが略嵌合し、固定バー３の突設部分に載置可能な形状とすれば良い。
【００２９】
蓋体５は、天板の中央部にノブ６を取り付ける為のノブ取付孔５Ａと、天板所要位置に温度計７を取り付ける為の温度計取付け孔５Ｂとが穿孔されている。
ノブ６は、ノブ取付孔５Ａに着脱自在に蝶着され、温度計７は温度計取付け孔５Ｂに着脱自在に蝶着されている。
また、蓋体５の天板に窓部用孔部（図示せず）を穿孔し、内側よりガラス板など透明素材を貼設固定し窓部（図示せず）を形成しても良い。
【００３０】
本実施形態では、図１に示すように串刺し食材１００の長さに合わせて、本体フレーム板２の幅方向の長さＷ１を、固定バー３を挿入する固定バー貫通用スリット２Ｂを選択することで設定します。次に、図２に示すようにバーベキューコンロ２００の焼き網上に組立式オーブンフレーム１を載置すると、バーベキューコンロ２００に載置された熱源の直火で表面を焼き上げ、加熱された熱風の煙突効果により食材の側面も加熱し内部に火を通すことで、効率的に美味しく仕上げる調理が可能になる。また、図３及び図７に示すように、蓋体５を載置すると、矢印で表示する熱風を滞留させることができ、所謂オーブンとしての機能により効率的に食材の内部に火を通すことが可能になる。
【００３１】
（第２実施形態）
次に、本発明の第２実施形態について説明する。
なお、第１実施形態と同様の構成については、同一の符号を付してその説明は省略する。
【００３２】
串に刺していない食材、例えば、ウィンナー１０１などを調理する際は、本体フレーム板２の幅方向の長さＷ２を、固定バー貫通用スリット２Ｂを選択し固定バー３を複数挿入することで焼き網８の幅よりやや広く設定します。
固定バー３の上部に焼き網８を載置して、ウィンナー１０１や食品調理用アルミニウム箔上に載置したピザ（図示せず）などの食材を、上部に載置し実施形態１と同様に調理することが出来る。
【００３３】
（第３実施形態）
次に、本発明の第３実施形態について説明する。
なお、第１実施形態及び第２実施形態と同様の構成については、同一の符号を付してその説明は省略する。
【００３４】
図６に示すように、本実施形態では、ガスコンロの五徳２０１に焼き網８を載置し、その上に金属製フライパン２０２を重置し、その中に燻製チップ１０２を入れ、本体フレーム板２の幅方向の長さＷ２を、固定バー貫通用スリット２Ｂを選択し固定バー３を複数挿入することで焼き網８の幅よりやや広く設定する。
【００３５】
次に、図４及び図５に示すように、第２実施形態と同様に固定バー３の上部に焼き網８を載置して、ウィンナー１０１などの食材を上部に載置し、固定バー３の突設部分に蓋体５を載置して加熱すると、蓋体５と本体フレーム板２とが略嵌合することで、内部に熱風を一定時間滞留可能な状態とし燻製料理器具として使用できる。
【００３６】
さらに、金属製フライパン２０２に燻製チップ１０２は入れずに水（図示せず）を入れ、固定バー３上に焼き網８を載置し、食材を焼き網８上に載置した後に蓋体５を載置して加熱すると、蒸し料理器具としても本実施形態の組立式オーブンフレーム１が使用できる。また、蓋体５は、平滑な側壁部を有することから、蓋体５を取り外した時には自立させることが可能となり、調理場のスペースを無駄に使わない省スペースの効果がある。
【００３７】
図８に示すように、組立式オーブンフレーム１を携行する時は、各構成部品を分解した状態にして、蓋体５の開口部を上向きにした状態で、本体フレーム板２、固定バー３、遮蔽板４、焼き網８、ノブ６、温度計７を収納し、蓋体５の開口部を調理板９で塞ぎ小型梱包した状態で携行可能となる。
【００３８】
調理板９は、金属板で形成され縁部９Ａを屈曲し、蓋体５の開口部を覆いつくす大きさの金属製で、携行時には梱包状態の蓋として使用し、調理時においては、まな板等に利用できる。
【００３９】
本実施形態に係る組立式オーブンフレームは、上記実施形態に記載したように熱源上に載置すると野外でグリル料理、オーブン料理、燻製料理、蒸し料理など様々な調理法に使用する器具として使用できる。さらに、野外のような環境下での調理だけでなく、勿論室内での調理にも使用でき、組立式であるために携行時には小型梱包できるので利便性が高い。
【００４０】
本発明を実施するための最良の構成、方法等は、上記記載で開示されているが、本発明は、これに限定されるものではなく、例えば、本実施形態では固定バーを帯板状の金属製板で形成したが、それに限定するものではなく、丸棒の金属棒を屈曲して形成しても良い。
【００４１】
また、本実施形態では焼き網を使用していたが、調理する食材に合わせて鉄板や食品用アルミニウム箔を使用することとしても良い。
【００４２】
以上のように、本発明の技術的思想及び目的の範囲から逸脱することなく、以上説明した実施形態に対し、形状、材質、数量、使用用途、位置若しくは配置等に対して当業者が様々な変更を加えることができるものである。
従って、既に開示した形状等の限定をした記載は、本発明の理解を容易にするために例示的に示したものであり、本発明を限定するものではないから、それらの形状等の限定を一部若しくは全部の限定を外した部材の名称での記載は、本発明に含まれるものである。
【符号の説明】
【００４３】
１    組立式オーブンフレーム
２    本体フレーム板
２Ａ    側面部
２Ｂ    固定バー貫通用スリット
２Ｃ    中央面部
３    固定バー
３Ａ    ストッパー部
４    遮蔽板
５    蓋体
５Ａ    ノブ取付孔
５B    温度計取付け孔
６    ノブ
７    温度計
８    焼き網
９    調理板
９Ａ    縁部
１００    串刺し食材
１０１    ウィンナー
１０２    燻製チップ
２００    バーベキューコンロ
２０１    五徳
２０２    金属製フライパン
Ｗ１，Ｗ２    本体フレームの幅
【要約】
【課題】従来の熱源上に載置し使用することで、野外の環境下であっても食材を美味しく調理可能であると共に、組立式で持ち運びも便利な組立式オーブンフレームを提供する。
【解決手段】熱源上に載置して使用する組立式のオーブンフレーム１であって、帯板状の金属製板の両端部を同一方向に略直角に屈曲させ平面視略コの字形状に形成された一対の本体フレーム板２と、一対の本体フレーム板２を対向させ略矩形状に組立固定する固定バー３とを有し、本体フレーム板２の両側面部２Ａの上縁部近傍所要位置に固定バー貫通用スリット２Ｂを複数箇所に形成し、固定バー貫通用スリット２Ｂを選択することで略矩形状の幅方向の長さＷ１を任意に選択可能となる。
【選択図】図１【図１】
0006919957.tif 000002
【図２】
0006919957.tif 000003
【図３】
0006919957.tif 000004
【図４】
0006919957.tif 000005
【図５】
0006919957.tif 000006
【図６】
0006919957.tif 000007
【図７】
0006919957.tif 000008
【図８】
0006919957.tif 000009